(57)【特許請求の範囲】
【請求項１】
柔軟性を有する合成樹脂シートで形成した釣用容器において、側部構成部材と底部構成部材の接合部分は底部構成部材の底部に折曲部を介して側部構成部材へ向かう突片を金型成形で一体に形成し、前記突片を前記側部構成部材の側壁の下端と重ね合わせて溶着で接合止着し、前記接合部分は前記両構成部材の何れか一方の内側に配置したことを特徴とする釣用容器。
【請求項２】
前記側部構成部材と前記底部構成部材の接合部分が前記容器の底縁部の内側となるように形成したことを特徴とする請求項１記載の釣用容器。
【発明の詳細な説明】
【０００１】
【発明の属する技術分野】
この発明は、魚釣り等のレジャ−に用いる釣用容器に関する。
【０００２】
【従来の技術】
従来から例えば実開昭６３−１５３９４５号公報のようにＥＶＡ（エチレン酢酸ビニール）等の合成樹脂シートで形成した釣用容器が用いられている。
これらの釣用容器は、撒き餌や生き餌用の餌入れ、魚入れ容器、水汲み用容器（バケツ）、濡れ物入れ容器、その他釣用小物入れなど多くの用途に使用されている。
しかし、前記公報の容器では、該公報及び従来例図１６のように、容器の底縁部となる側部１３と底部１４の接合部分が、底部側を丸めてその上に外側に折曲した側部を重ね合わせて溶着されている。
又、従来例図１７のように、容器の底縁部となる側部１３と底部１４の接合部分が、平面同志を重ね合わせて溶着されている場合もある。
【０００３】
前記のように接合部分が外側に突出するように形成されていると、突出部が身体や衣類に当り、傷付けたり、内側の隅部に撒き餌や生き餌が入り込んで取り出し難くなるという問題をかかえている。
又、容器の中を掃除する時も、内側の隅部に入り込んだ撒き餌１５や生き餌は残ってしまい、悪臭を放つ原因にもなっている。
【０００４】
【発明が解決しようとする課題】
上記従来の釣用容器では、接合部分が外側に突出するように形成されているので、突出部が身体や衣類に当り、傷付けたり、内側の隅部に撒き餌や生き餌が入り込んで取り出し難く、残っていると悪臭を放つ原因になることである。
【０００５】
本発明の目的は上記欠点に鑑み、側部構成部材と底部構成部材の接合部分で傷付けたり、接合部分に餌が入り込んだりし難い形状の釣用容器を提供することである。
【０００６】
【課題を解決するための手段】
上記課題を解決するために、請求項１に係わる本発明は、柔軟性を有する合成樹脂シートで形成した釣用容器において、側部構成部材と底部構成部材の接合部分は底部構成部材の底部に折曲部を介して側部構成部材へ向かう突片を金型成形で一体に形成し、前記突片を前記側部構成部材の側壁の下端と重ね合わせて溶着で接合止着し、前記接合部分は前記両構成部材の何れか一方の内側に配置したことを要旨とするものである。
【０００７】
請求項２に係わる本発明は、前記側部構成部材と前記底部構成部材の接合部分が前記容器の底縁部の内側となるように形成したことを要旨とするものである。
【０００８】
【発明の実施の形態】
本発明により、溶器本体Ａの底縁部の突出部をなくしたので、身体や衣類が傷付けられることが防止される。
【０００９】
底縁部は、内側の隅部が折曲部で滑らかに形成されているので、掃除ができ、撒き餌や生き餌が残ったりせず、悪臭を発生したりしない。
【００１０】
【実施例】
以下、図示の実施例によって本発明を説明すると、図１から図１２は第１実施例で、図１は釣用容器の斜視図、図２は釣用容器の蓋体が開かれた斜視図、図３は釣用容器の平面図、図４は釣用容器の断面側面図、図５は釣用容器の要部拡大断面側面図、図６は釣用容器の底部構成部材を形成する装置の要部断面側面図、図７は釣用容器の底部構成部材を形成する装置の要部拡大断面側面図、図８は釣用容器の底部構成部材を形成する装置の平面図、図９は釣用容器の蓋体に凹凸を付ける装置の要部断面側面図、図１０は釣用容器の蓋体に凹凸を付ける装置の平面図、図１１は釣用容器の要部背面図、図１２は釣用容器の上側の要部拡大断面側面図である。
【００１１】
釣用容器は、容器本体Ａが薄い合成樹脂シ−トで側部構成部材１と底部構成部材２の高周波加熱処理の溶着接合で略直方体状に一体に形成され、容器本体Ａの側部構成部材１の裏側上縁に蓋体３が薄い合成樹脂シ−トで形成されて後側が同質シ−トの連結部４で連結され、連結部４以外の容器本体Ａの側部構成部材１と蓋体３間は係合チャック５で開閉自在に閉じられている。
容器本体Ａの長手方向両側には側部構成部材１に係止具６、６が固定されて係止具６、６にベルト１０が伸縮自在に取り付けられている。
薄い合成樹脂シ−ト７の材料は、ＥＶＡ（エチレン酢酸ビニ−ル）、ＰＶＣ（ポリ塩化ビニ−ル）、ＰＥ（ポリエチレン）等を用いた防水性を有するシ−トが使用されている。
【００１２】
容器本体Ａの側部構成部材１は横断面矩形の筒状に形成されて開口縁は図４のようにフレ−ム１１を巻き込んでａ部で溶着されると共に端部１ａが外側に突出されている。
容器本体Ａの底部構成部材２は横断面矩形のカップ状にバキュ−ム成形装置で成形される。
蓋体３は皿状にバキュ−ム成形装置で成形されている。
容器本体Ａは薄い合成樹脂シ−ト７で直方体状に形成されているので、中に物を収容する時は、自立性を有すると共に、中に物を収容しない時は、高さの中間を中折りしてコンパクトに折り畳んで携帯等することができる。
【００１３】
底部構成部材２が横断面矩形のカップ状に成形されるバキュ−ム成形装置は、図６から図８の金型８と受け台９が使用され、金型８は平板部８ａの上に底部構成部材２の深さに応じた台部８ｂが形成され、台部８ｂの周囲に複数の透孔８ｃが穿設されている。
金型８が重ねられる受け台９は凹部９ａが形成されると共に複数の透孔８ｃと凹部９ａ内の空気が排出される排出口９ｂが形成されて図示しない真空ポンプが接続されている。
図６、図８では台部８ｂを２箇所設けたが、多数設けてもよい。
【００１４】
底部構成部材２がバキュ−ム成形装置で成形される時は、金型８の上に適度の温度例えば６０〜８０度に加熱されて軟化した例えば厚さ０．８〜１．５ｍｍのＥＶＡ（エチレン酢酸ビニ−ル）の合成樹脂シ−ト７が載せられて周囲が適宜仮止めされた後、図示しない真空ポンプで排出口９ｂから合成樹脂シ−ト７と台部８ｂの間の空気が透孔８ｃを通して強制的に抜き取られて合成樹脂シ−ト７と台部８ｂが約２０秒程度密着させられて凸状に変形させられ、これを冷却する。
その後台部８ｂの周囲で切断されて底部２ａに対して折曲部２ｂを介して突片２ｃとなる側壁が成形されて横断面矩形のカップ状の底部構成部材２となる。
薄い合成樹脂シ−ト７がバキュ−ム成形装置で成形されると、下側の金型８ですみ、上側の金型を必要としないので設備が簡素化され、薄い合成樹脂シ−トの成形が容易になる。
【００１５】
側部構成部材１と底部構成部材２が高周波加熱処理で溶着接合される時は、側部構成部材１の側壁１ｂ下端と底部構成部材２の突片２ｃ上端が重ね合わされて側部構成部材１と底部構成部材２の両構成部材の外側に図示しない高周波加熱電極が当てられて高周波加熱処理で溶着接合される。
【００１６】
蓋体３が成形されるバキュ−ム成形装置の金型８は図９、図１０のように、平板部８ａの上に蓋体３の深さに応じた台部８ｄが形成され、台部８ｄの周囲に複数の透孔８ｃが穿設されている。
台部８ｄ上には凹部８ｅと凸部８ｆが形成されている。
金型８が重ねられる受け台９は凹部９ａが形成されると共に複数の透孔８ｃと凹部９ａ内の空気が排出される排出口９ｂが形成されて図示しない真空ポンプが接続されている。
【００１７】
蓋体３がバキュ−ム成形装置で成形される時は、金型８の上に適度の温度例えば６０〜８０度に加熱されて軟化した例えば厚さ０．８〜１．５ｍｍのＥＶＡ（エチレン酢酸ビニ−ル）の合成樹脂シ−ト７が載せられて周囲が適宜仮止めされた後、図示しない真空ポンプで排出口９ｂから合成樹脂シ−ト７と台部８ｄの間の空気が透孔８ｃを通して強制的に抜き取られて合成樹脂シ−ト７と台部８ｄが約２０秒程度密着されると共に、凹部８ｅと凸部８ｆ内の空気も抜き取られて凸状に変形させ、これを冷却する。
その後台部８ｄの周囲で切断されて上面３ａに凹部３ｂと凸部３ｃが形成されて周囲に湾曲部３ｄとスカ−ト部３ｅが形成された蓋体３となる。
【００１８】
容器本体Ａと蓋体３が係合チャック５で連結される構造は図４、図１２のように、容器本体Ａの側部構成部材１の端部１ａに係合チャック５の一側５ａが重ねられて縫着固定され、蓋体３のスカ−ト部３ｅに縁部材１２と係合チャック５の他側５ｂが重ねられて縫着固定されている。
容器本体Ａと蓋体３が連結部４で連結される構造は図４、図１１、図１２のように、容器本体Ａの側部構成部材１の端部１ａに係合チャック５の一側５ａと連結部４が重ねられて縫着固定され、蓋体３のスカ−ト部３ｅに縁部材１２と係合チャック５の他側５ｂと連結部４が重ねられて縫着固定されている。
係合チャック５と連結部４の重なり部分は図１１のように夫々端部である。
【００１９】
前記のように側部構成部材１と底部構成部材２が合成樹脂シ−ト７で夫々成形され、側部構成部材１の側壁１ｂ下端と底部構成部材２の突片２ｃ上端が重ね合わされて高周波加熱処理で溶着接合されると、接合部分ｂが側部構成部材１の内側に配置されて容器本体Ａの周囲から突出する部分がないので、突出部分が身体や衣類に当たることがなく、傷付けず、内側の隅部も折曲部２ｂで滑らかに形成されているので、餌入れに使用した時、撒き餌や生き餌が入り込んで取り出し難くなることがなく、残らないので悪臭を放つことがない。
容器本体Ａは合成樹脂シ−ト７をバキュ−ム成形装置で屈曲して形成しているため形崩れし難い。
【００２０】
前記のように釣用容器が構成されると、容器本体Ａの底縁部の突出部をなくしたので、身体や衣類が傷付けられることが防止される。
底縁部が丸く形成されているので、隅部まで掃除ができ、撒き餌や生き餌が残ったりせず、悪臭を発生したりしない。
【００２１】
図１３から図１５は第２実施例で、図１３は釣用容器の断面側面図、図１４は側部構成部材の要部と底部構成部材の分解断面側面図、図１５は釣用容器の要部拡大断面側面図である。
【００２２】
第２実施例で釣用容器は、容器本体Ａが薄い合成樹脂シ−トで側部構成部材１′と底部構成部材２′の高周波加熱処理の溶着接合で略直方体状に一体に形成され、容器本体Ａには蓋体３が取り付けられている。
容器本体Ａの側部構成部材１′は横断面矩形の筒状に形成されて側壁１ｂ下端にバキュ−ム成形装置で折曲部１ｃを介して内側方向に傾斜した突片１ｄが成形され、突片１ｄは内側に折曲形成されている。
容器本体Ａの底部構成部材２′はバキュ−ム成形装置で底部２ｄに対して折曲部２ｅを介して外側方向に傾斜した突片２ｆが成形されて横断面矩形の皿状に形成されている。
バキュ−ム成形装置は、夫々折曲部１ｃを介して傾斜した突片１ｄと折曲部２ｅを介して傾斜した突片２ｆが成形されるように前記第１実施例の金型が変形されて使用され、他の形状は略同型である。
他の構成は前記第１実施例と略同一である。
【００２３】
側部構成部材１′と底部構成部材２′が高周波加熱処理で溶着接合される時は、側部構成部材１′の突片１ｄが底部構成部材２′の突片２ｆの上に重ね合わされて突片１ｄと突片２ｆの外側に図示しない高周波加熱電極が当てられて高周波加熱処理で溶着接合される。
【００２４】
前記のように側部構成部材１′と底部構成部材２′が合成樹脂シ−ト７で夫々成形され、側部構成部材１′の突片１ｄと底部構成部材２′の突片２ｆが重ね合わされて高周波加熱処理で溶着接合されると、接合部分ｂが側部構成部材１の内側に配置されて容器本体Ａの周囲から突出する部分がないので、突出部分が身体や衣類に当たることがなく、傷付けず、内側の隅部も折曲部２ｅで滑らかに形成されているので、餌入れに使用した時、撒き餌や生き餌が入り込んで取り出し難くなることがなく、残らないので使用後でも悪臭を放つことがない。
【００３２】
前記説明では、釣用容器を容器本体Ａに蓋体３が取り付けられた容器で述べたが、蓋体のない餌入れや水汲み容器に実施してもよい。
【００３３】
【発明の効果】
本発明は、以上説明したような形態で実施され、以下に記載されるような効果を奏する。
【００３４】
容器の底縁部の突出部をなくしたので、身体や衣類が傷付けられることが防止される。
【００３５】
底縁部は、内側の隅部が折曲部で滑らかに形成されているので、掃除ができ、撒き餌や生き餌が残ったりせず、悪臭を発生したりしない。
【図面の簡単な説明】
【図１】第１実施例で、釣用容器の斜視図である。
【図２】同釣用容器の蓋体が開かれた斜視図である。
【図３】同釣用容器の平面図である。
【図４】同釣用容器の断面側面図である。
【図５】同釣用容器の要部拡大断面側面図である。
【図６】同釣用容器の底部構成部材を形成する装置の要部断面側面図である。
【図７】同釣用容器の底部構成部材を形成する装置の要部拡大断面側面図である。
【図８】同釣用容器の底部構成部材を形成する装置の平面図である。
【図９】同釣用容器の蓋体に凹凸を付ける装置の要部断面側面図である。
【図１０】同釣用容器の蓋体に凹凸を付ける装置の平面図である。
【図１１】同釣用容器の要部背面図である。
【図１２】同釣用容器の上側の要部拡大断面側面図である。
【図１３】第２実施例で、釣用容器の断面側面図である。
【図１４】同側部構成部材の要部と底部構成部材の分解断面側面図である。
【図１５】同釣用容器の要部拡大断面側面図である。
【図１６】従来の釣用容器の要部拡大断面側面図である。
【図１７】同従来の他の釣用容器の要部拡大断面側面図である。
【符号の説明】
１、１’  側部構成部材
５、２’  底部構成部材
１ｄ、１ｆ、２ｃ、２ｆ  突片
７  合成樹脂シート
【図１】
0003548680.tif 000002
【図２】
0003548680.tif 000003
【図３】
0003548680.tif 000004
【図４】
0003548680.tif 000005
【図５】
0003548680.tif 000006
【図６】
0003548680.tif 000007
【図７】
0003548680.tif 000008
【図８】
0003548680.tif 000009
【図９】
0003548680.tif 000010
【図１０】
0003548680.tif 000011
【図１１】
0003548680.tif 000012
【図１２】
0003548680.tif 000013
【図１３】
0003548680.tif 000014
【図１４】
0003548680.tif 000015
【図１５】
0003548680.tif 000016
【図１６】
0003548680.tif 000017
【図１７】
0003548680.tif 000018